(57)【要約】【課題】小型のものとして、吐水ポンプからの吸水量と、上水道水からの吸水量とのバランスをとることが出来る、洗浄機用の貯水タンクを提供する。【解決手段】洗浄機用の洗浄水を貯水する貯水タンク１において、該貯水タンク１には、上水道水を吸水する為の給水口２を固設し、更に、該貯水タンク１の内部に自動止水弁４を設け、上部には吸水ホース１１を挿入可能な開口部１２を開口し、該貯水タンク１内の貯水量が常時一定となるように、自動止水弁４を制御すべく構成した。【選択図】図４
2006035114.tif 000002
【特許請求の範囲】
【請求項１】
洗浄機用の洗浄水を貯水する貯水タンク１において、該貯水タンク１には、上水道水を吸水する為の給水口２を固設し、更に、該貯水タンク１の内部に自動止水弁４を設け、上部には吸水ホース１１を挿入可能な開口部１２を開口し、該貯水タンク１内の貯水量が常時一定となるように、自動止水弁４を制御すべく構成したことを特徴とする洗浄機用貯水タンク構造。
【請求項２】
請求項１記載の洗浄機用貯水タンク構造において、自動止水弁４は、貯水タンク１内で上下するフロート５により自動的に止水すべく構成したことを特徴とする洗浄機用貯水タンク構造。
【請求項３】
請求項１記載の洗浄機用貯水タンク構造において、上水道水の蛇口７と給水口２との間に、給水ホース１５とワンタッチカップラ３・６を介装したことを特徴とする洗浄機用貯水タンク構造。
【発明の詳細な説明】
【技術分野】
【０００１】
本発明は、洗浄機を使用して、汚れた車体等を洗浄する場合において、上水道からの水を使用して洗浄する場合の、該上水を溜める為の洗浄機用貯水タンク構造に関する。
【背景技術】
【０００２】
従来において、洗浄機を使用して、自動車や運搬車や農作業車等の汚れた車体を洗浄する場合においては、上水道からの水を洗浄水とする場合には、該上水道の水圧との関係で、該上水道の蛇口を直接に吐水ポンプの吸水ホースに連結することは出来ないのである。故に、一旦、該上水道水を大気圧下に開放した状態として、この大気圧に開放した状態のタンクから、吸水ホースにより吐水ポンプに吸引する必要があるのである。
【特許文献１】特開平９−２７９６５８号公報
【発明の開示】
【発明が解決しようとする課題】
【０００３】
このように、上水道水を一旦大気圧に開放する為には、従来は、大型の貯水タンクを用意して、該大型の貯水タンク内に、一旦大量の上水道水を貯水して、この大型の貯水タンクから、吐水ポンプに吸水すべく構成していたのである。
この大型の貯水タンクを用意するのが、面倒な作業であったのである。
本発明は、このような従来技術の不具合を解消せんとするものであり、貯水タンクを小型のものとして、吐水ポンプからの吸水量と、上水道水からの吸水量とのバランスを取ることが出来るように構成したものである。
【課題を解決するための手段】
【０００４】
本発明の解決しようとする課題は以上の如くであり、次にこの課題を解決するための手段を説明する。
【０００５】
請求項１においては、洗浄機用の洗浄水を貯水する貯水タンク１において、該貯水タンク１には、上水道水を吸水する為の給水口２を固設し、更に、該貯水タンク１の内部に自動止水弁４を設け、上部には吸水ホース１１を挿入可能な開口部１２を開口し、該貯水タンク１内の貯水量が常時一定となるように、自動止水弁４を制御すべく構成したものである。
【０００６】
請求項２においては、請求項１記載の洗浄機用貯水タンク構造において、自動止水弁４は、貯水タンク１内で上下するフロート５により自動的に止水すべく構成したものである。
【０００７】
請求項３においては、請求項１記載の洗浄機用貯水タンク構造において、上水道水の蛇口７と給水口２との間に、吸水ホース１５とワンタッチカップラ３・６を介装したものである。
【発明の効果】
【０００８】
請求項１においては、洗浄機用の洗浄水を貯水する貯水タンク１において、該貯水タンク１には、上水道水を吸水する為の給水口２を固設し、更に、該貯水タンク１の内部に自動止水弁４を設け、上部には吸水ホース１１を挿入可能な開口部１２を開口し、該貯水タンク１内の貯水量が常時一定となるように、自動止水弁４を制御すべく構成したので、吐水ポンプＰの吸水ホースを直接的に、上水道水の蛇口７に連結する必要がなくなったのである。
上水道水の蛇口７に吸水ホース１１を直接的に繋ぐと、上水道水の水圧に変化が発生して、近隣の上水道水に悪影響を与えるというおそれがあったのである。
また、吸水ホース１１が空吸水をすることがないように、大形の貯水タンクを用意して、上水道水を大量に貯水するという必要もなくなったのである。
【０００９】
請求項２の如く、自動止水弁４は、貯水タンク１内で上下するフロート５により自動的に止水すべく構成したので、自動止水弁４を電子回路等を構成した高価なものを使用することなく、機械式の最低限度のコストの自動止水弁４とすることが出来たものである。
【００１０】
請求項３の如く、上水道水の蛇口７と給水口２との間に、吸水ホース１５とワンタッチカップラ３・６を介装したので、貯水タンク１を上水道水の蛇口７に取り付ける場合において、簡単な構成で、ワンタッチの操作で、連結し給水構造とすることが可能となったものである。
【発明を実施するための最良の形態】
【００１１】
次に本発明の実施の形態を説明する。
図１は、動力洗浄機Ａにより、農用作業機Ｂを洗浄している状態を示す図面、図２は、動力洗浄機Ａと貯水タンク１の構成を示す斜視図、図３は、貯水タンク１と給水ホース１５とを示す斜視図、図４は、自動止水弁４の作動状態を示す側面断面図、図５は動力洗浄機Ａと吸水ホース１５との連結状態を示す全体図である。
【００１２】
図１と図２と図３において、動力洗浄機Ａによる農用作業機Ｂの洗浄状態を説明する。上水道水の蛇口７にホースを装着して、該ホースの先端に付設したノズルにより農用作業機Ｂを洗浄することも出来るのである。
しかし、農用作業機Ｂのように、水田や畑地で作業した後は、土壌や汚泥が機体の隅々に付着しており、通常の上水道水の蛇口７の水圧では、十分に各部の洗浄が不可能なのである。
【００１３】
動力洗浄機Ａは、エンジンＥと吐水ポンプＰとを具備しており、通常の上水道水の蛇口７の数倍の圧力の吐出水を噴霧可能としているのである。この圧力水を農用作業機Ｂに吹きつけることにより、落ちにくい汚れも落とすことが可能となるのである。
このような場合に使用するのが動力洗浄機Ａであり、該動力洗浄機Ａは、図５に示す如く、台車１９と操作ハンドル１８部と、該台車１９の上に載置固定したエンジンＥと吐水ポンプＰにより構成されている。
【００１４】
該吐水ポンプＰは従動輪１７により移動可能であるが、エンジンＥによる駆動される訳ではなく、オペレータの人力による移動を可能としている。
そして、該動力洗浄機Ａの吐水ポンプＰから圧力水ホース１６が延長されて、先端のノズルＮから、吐水ポンプＰにより吐出される圧力水を吐出すべく構成している。
また、該吐水ポンプＰから、吸水ホース１１と余水ホース１４が延設されており、該吸水ホース１１と余水ホース１４が、吸水ホース１５の開口部１２から貯水タンク１内に挿入されている。該吸水ホース１１の先端にはフィルター９が付設されている。
【００１５】
図４において、貯水タンク１の具体的な構成について説明する。
上水道水の蛇口７の部分には開閉コック８が設けられている。該開閉コック８は、動力洗浄機Ａを使用して、自動止水弁４により開閉する場合には、開けたままとしておく。
そして、該上水道水の蛇口７と、貯水タンク１の給水口２との間には、ワンタッチカップラ３・６を介装した吸水ホース１５が介装される。
【００１６】
該ワンタッチカップラ３・６を介装することにより、貯水タンク１の上水道水の蛇口７に対する脱着が簡単に出来るのである。また貯水タンク１には、上部に開口部１２が開口されている。該開口部１２より、前述の如く、吸水ホース１１と余水ホース１４が挿入される。余水ホース１４は、吐水ポンプＰ内において圧力水ホース１６に向けて吐出されなかった余分な水を戻すものである。即ち、ノズルＮが開放されない場合には、吐水ポンプＰの内部の圧力弁が開放されて、吸水ホース１１により吸水された上水道水が、再度余水ホース１４から貯水タンク１内に戻されるのである。
【００１７】
そして、該貯水タンク１の壁部の上方位置に給水口２が固定されており、該給水口２の、貯水タンク１の中の部分に自動止水弁４が設けられている。該自動止水弁４は、電子構造のものでも良いが、実施例では、フロート５が水面で上下することにより開閉する自動止水弁４に構成されている。
【００１８】
また、貯水タンク１の上部には、移動時に把持することのできるように把手１３が設けられている。
以上のように構成したことによって、貯水タンク１の中の水面は、吐水ポンプＰからの吸水と余水の状況に応じて、上下するが、それでも、水面が低下した場合には、自動止水弁４を開いて、上水道水の蛇口７から補充することにより、常時適正な水面レベルを維持することができる。
【００１９】
このように、貯水タンク１内の水面レベルを一定に維持することにより、吸水ホース１１が水面以下となり、吐水ポンプＰが空吸水をすることはがなくなったのである。
また、該貯水タンク１を上水道水の蛇口７との間に介装することにより、貯水タンク１の水面が大気に開放されているので、上水道水に対して、吐水ポンプＰの圧力が及んで、近隣の上水道水に悪影響を与えることもなくなったのである。
また、自動止水弁４が配置されていることにより、貯水タンク１の中の容量は最低限度の容量で済むので、貯水タンク１の大きさは従来のような大型のタンクとする必要がなくなったのである。
【図面の簡単な説明】
【００２０】
【図１】動力洗浄機Ａにより、農用作業機Ｂを洗浄している状態を示す図面。
【図２】動力洗浄機Ａと貯水タンク１の構成を示す斜視図。
【図３】貯水タンク１と給水ホース１５とを示す斜視図。
【図４】自動止水弁４の作動状態を示す側面断面図。
【図５】動力洗浄機Ａと吸水ホース１５との連結状態を示す全体図。
【符号の説明】
【００２１】
Ａ  動力洗浄機
Ｂ  農用作業機
Ｎ  ノズル
１  貯水タンク
２  給水口
３・６  ワンタッチカップラ
４  自動止水弁
５  フロート
７  上水道水の蛇口
１１  吸水ホース
１２  開口部
１４  余水ホース
【図１】
2006035114.tif 000003
【図２】
2006035114.tif 000004
【図４】
2006035114.tif 000005
【図５】
2006035114.tif 000006
【図３】
2006035114.tif 000007